(57)【特許請求の範囲】
【請求項１】
インナパックを収容する箱ボディであって、前記インナパックがシガレットの束及びこの束を包み込む包材を含む、箱ボディを備え、
前記箱ボディは、
その一側壁を形成し、前記箱ボディに対する引き出し且つ押し込みが許容されたプッシュプル壁であって、このプッシュプル壁が前記箱ボディから側方に引き出されたとき、前記箱ボディの上面に開口を提供し、前記プッシュプル壁が前記箱ボディ内に押し込まれて没入したときに前記開口を閉じる、プッシュプル壁と、
前記プッシュプル壁の外面に備えられ、前記プッシュプル壁の長手方向に沿って延びるフィン形状のノブであって、このノブは前記プッシュプル壁が前記箱ボディ内に押し込まれたとき、前記プッシュプル壁とともに前記箱ボディ内に没入する、ノブと
を含み、
前記箱ボディはその上壁の一側縁にＶ字形状のノッチを更に含み、
前記プッシュプル壁は、その中央に長手方向に沿って延びる折込み線を有し、前記箱ボディから引き出されたときには前記折込み線に沿って山折りされることで、前記ノッチとは逆向きのＶ字形状に形成され、これに対し、前記箱ボディ内に押し込まれたときには前記折込み線に沿って谷折りされて前記ノッチと同じ向きのＶ字形状に形成される
ことを特徴とするシガレットボックス。
【請求項２】
前記ノブは、前記折込み線に沿い前記プッシュプル壁の全長に亘って延びていることを特徴とする請求項１に記載のシガレットボックス。
【請求項３】
前記プッシュプル壁はその下端に一対の三角底を更に有し、これら三角壁は前記プッシュプル壁が前記箱ボディから引き出されたとき、前記箱ボディの底壁の延長部を形成することを特徴する請求項１に記載のシガレットボックス。
【請求項４】
前記箱ボディは、
前記インナパックの上面を露出させた状態で、前記インナパックを保持するインナケースであって、前記プッシュプル壁及び前記ノブを有する、インナケースと、
前記プッシュプル壁及び前記ノブを露出させた状態で前記インナケースを収容するアウタケースであって、その上壁に前記ノッチを有する、アウタケースとを含む
ことを特徴する請求項１に記載のシガレットボックス。
【請求項５】
前記インナケースは、前記プッシュプル壁が前記箱ボディに対して引き出し及び押し込まれるとき、前記アウタケースに対して前記引き出し及び押し込みの方向に前記プッシュプル壁とともに移動が許容されている
ことを特徴する請求項４に記載のシガレットボックス。
【請求項６】
請求項１に記載のシガレットボックスを成形するためのブランクであって、
長手軸線と、
前記ボックスの背壁、底壁及び前壁をそれぞれ形成するためのリアパネル、ボトムパネル及びフロントパネルであって、これらパネルが前記長手軸線上に一列に配置され、隣接するパネル同士が折込み線により互いに区画されている、リアパネル、ボトムパネル及びフロントパネルと、
前記リアパネルの一側縁に折込み線を介して接続されたインナサイドフラップと、
前記インナサイドフラップ側に位置した前記フロントパネルの一側縁に折込み線を介して接続されたアウタサイドフラップであって、前記インナサイドフラップとともに前記ボックスの一側壁を形成するためのアウタサイドフラップと、
前記ボトムパネルとは反対側の前記リアパネルの端縁に折込み線を介して接続され、前記ボックスの上壁を形成するためのトップパネルであって、前記サイドフラップとは反対側の側縁にＶ字形状のノッチを有する、トップパネルと、
前記リアパネルの他側縁に折込み線を介して接続された第１ハーフサイドフラップと、
前記第１ハーフサイドフラップの外側縁に折込み線を介して接続された第１フィンフラップと、
前記フロントパネルの他側縁に折込み線を介して接続された第２ハーフサイドフラップと、
前記第２ハーフサイドフラップの外側縁に折込み線を介して接続された第２フィンフラップと
を含み、
前記前記第１及び第２フィンフラップは互いに重ね合わされて前記フィン形状のノブを形成し、
前記第１及び第２ハーフサイドフラップはそれらの外側縁同士が密着して前記Ｖ字形状のプッシュプル壁を形成する
ことを特徴とするシガレットボックスのブランク。
【請求項７】
請求項４に記載のインナケースを成形するためのブランクであって、
前記プッシュプル壁及び前記ノブを形成するための第１セクションと、
前記第１セクションに折込み線を介して接続され、前記インナパックを保持するケース部分を形成するための第２セクションと
を含む
ことを特徴とするインナケースのブランク。
【発明の詳細な説明】
【技術分野】
【０００１】
本発明はシガレットボックス及びそのブランクに関し、シガレットボックスはインナパックを収容するために使用され、インナパックはフィルタシガレットやシガレットの束と、この束を包み込む包材とを有する。
【背景技術】
【０００２】
この種のシガレットボックスには所謂、ヒンジリッド型パッケージが多用されており、このパッケージは例えば特開平5-213340号公報に開示されているように、箱ボディと、この箱ボディを開閉するリッドとを有し、インナパックは箱ボディ内に収容されている。【０００３】
喫煙者を含む一般の人々は、上述したパッケージの形態に長期に亘り慣れ親しんでいるので、パッケージの開閉動作に新鮮さは無く、このようなパッケージはユーザの購買意欲を喚起させる視覚的な魅力に乏しい。
本発明の目的は、ユーザの購買意欲を増進させるような斬新な開閉形態を有するシガレットボックス及びそのブランクを提供することにある。
【発明の開示】
【０００４】
上記の目的を達成するため、本発明のシガレットボックスは、インナパックを収容する箱ボディであって、前記インナパックがシガレットの束及びこの束を包み込む包材を含む、箱ボディを備え、この箱ボディは、その一側壁を形成し、箱ボディに対する引き出し且つ押し込みが許容されたプッシュプル壁であって、このプッシュプル壁が箱ボディから側方に引き出されたとき、箱ボディの上面に開口を提供し、プッシュプル壁が箱ボディ内に押し込まれて没入したときに開口を閉じる、プッシュプル壁と、プッシュプル壁の外面に備えられ、プッシュプル壁の長手方向に沿って延びるフィン形状のノブであって、このノブはプッシュプル壁が前記箱ボディ内に押し込まれたとき、プッシュプル壁とともに前記箱ボディ内に没入する、ノブとを含む（請求項１）。
【０００５】
上述したシガレットボックスによれば、ユーザは指でノブを摘み、プッシュプル壁をシガレットボックスの側方に引き出すことができる。このようなプッシュプル壁の引き出しは、箱ボディの上壁に開口を形成し、それ故、この開口を通じてインナパックからフィルタシガレット又はシガレットの取出しが可能となる。一方、ユーザはノブとともにプッシュプル壁をシガレットボックス内に押し込むことにより、開口を閉じることができる。
【０００６】
上述したシガレットボックスは一般的なヒンジリッド型パッケージと比べて、大きく異なる開閉形態を有する一方、斬新な外観を提供し、ユーザの購買意欲を増進させる。
詳しくは、請求項１の場合、箱ボディはその上壁の一側縁にＶ字形状のノッチを更に含み、そして、プッシュプル壁は、その中央に長手方向に沿って延びる折込み線を有し、箱ボディから引き出されたときには折込み線に沿って山折りされることで、ノッチとは逆向きのＶ字形状に形成され、これに対し、前記箱ボディ内に押し込まれたときには前記折込み線に沿って谷折りされて前記ノッチと同じ向きのＶ字形状に形成される。この場合、プッシュプル壁はノッチと協働して菱形の開口を形成する。
【０００７】
好ましくは、ノブは折込み線に沿いプッシュプル壁の全長に亘って延びている（請求項２）。更に好ましくは、プッシュプル壁はその下端に一対の三角底を更に有し、これら三角壁はプッシュプル壁が箱ボディから引き出されたとき、箱ボディの底壁の延長部を形成する（請求項３）。
上述の箱ボディは、インナケース及びアウタケースの２つのパーツから形成することもできる。この場合、インナケースは、インナパックの上面を露出させた状態で、インナパックを保持し、プッシュプル壁及び前記ノブをそれぞれ有する。一方、アウタケースは、プッシュプル壁及びノブを露出させた状態でインナケースを収容し、その上壁にノッチを有する（請求項４）。
【０００８】
好ましくは、インナケースは、プッシュプル壁が箱ボディに対して引き出し及び押し込まれるとき、アウタケースに対して引き出し及び押し込みの方向に前記プッシュプル壁とともに移動が許容されている（請求項５）。
本発明は、上述したシガレットボックスやインナケースのブランクをも提供し、これらブランクは、以下の図面や、発明を実施する最良の形態の項での記載から明らかになる。
【図面の簡単な説明】
【０００９】
【図１】閉状態にある第１実施例のシガレットボックスを示した斜視図である。
【図２】図１のシガレットボックスを一部破断して示した斜視図である。
【図３】図１のシガレットボックスを形成するためのブランクを示した図である。
【図４】図３のブランクの折込み過程を示した斜視図である。
【図５】図４の状態からのブランクの折込みが進んだ状態を示した図である。
【図６】図５の状態からブランクの折込みが進んだ状態を示した図である。
【図７】図６の状態からブランクの折込みが進んだ状態を示した図である。
【図８】開状態にある第２実施例のシガレットボックスを示した斜視図である。
【図９】図８のシガレットボックスのインナケースを成形するためのブランクを示した図である。
【図１０】図９のブランクの折込み過程を示した図である。
【図１１】図１０の状態からブランクの折込みが進んだ状態を示した図である。
【図１２】図１１の状態からブランクの折込みが進んだ状態を示した図である。
【図１３】図１２の状態からブランクの折込みが進んだ状態を示した図である。
【図１４】図８のシガレットボックスのアウタケースを成形するブランクを示した図である。
【発明を実施するための最良の形態】
【００１０】
図１及び図２は、第１実施例のシガレットボックスを示す。
シガレットボックスは、略直方体形状の箱ボディ２と、この箱ボディ２内に収容されたインナパックを含む。インナパックは、フィルタシガレット又はシガレットの束と、この束を包み込む包材とを有する。図１及び図２中、インナパックは省略されている。更に、シガレットボックスは透明なフィルム（図示しない）により包み込まれており、このフィルムは開封テープを有する。【００１１】
箱ボディ２の上壁４は矩形形状をなし、上壁４はその一端縁にＶ字形状のノッチ６を有する。一方、ノッチ６側の箱ボディ２の側壁は、プッシュプル壁８として形成されている。より詳しくは、プッシュプル壁８は箱ボディ２の長手軸線に沿って延び、その中央にフィン形状をなしたノブ１０を有する。このノブ１０はプッシュプル壁８から箱ボディ２の側方に向けて突出し、プッシュプル壁８の全長に亘って延びている。
【００１２】
図１は、プッシュプル壁８が箱ボディ２の内部に向けて押し込まれ、箱ボディ２が閉じられている状態を示す。このとき、プッシュプル壁８は、箱ボディ２の内部に向けて突出するＶ字形状をなし、ノブ１０は、プッシュプル壁８が形成するＶ字空間内に位置付けられている。それ故、図１から明らかなように、箱ボディ２が閉じられたとき、プッシュプル壁８のＶ字形状の上端はＶ字形のノッチ６に合致している。即ち、インナパックは箱ボディ２の幅よりも短い幅を有し、箱ボディ２内にはプッシュプル壁８の押し込みを許容するスペースが確保されている。【００１３】
ユーザが指でノブ１０を摘み、プッシュプル壁８を箱ボディ２の側方に引き出したとき、図２に示されるように、プッシュプル壁８は箱ボディの外側に向けて突出したＶ字形状、即ち、ノッチ６とは逆向きのＶ字形状となる。それ故、プッシュプル壁８のＶ字形の上端はＶ字形のノッチ６と協働して菱形の開口１２を形成し、これにより、箱ボディ２が開かれる。それ故、インナパックのフィルタシガレット又はシガレットは、上述した開口１２を通じて箱ボディ２から取り出し可能となる。【００１４】
この後、プッシュプル壁８がノッチ６に向けて押し込まれると、プッシュプル壁８及びノッチ１０は図１に示される状態となり、これにより、開口１２は閉じられる。
上述の説明から明らかなように、プッシュプル壁８の引出し及び押込みはプッシュプル壁８のＶ字形状を反転させる。具体的には、プッシュプル壁８が押し込まれたとき、プッシュプル壁８はフィン形状のノブ１０の根元を頂とした山折りのＶ字形状をなし、これに対し、プッシュプル壁８が引き出されたとき、プッシュプル壁８はノブ１０の根元を底とした谷折りのＶ字形状をなす。【００１５】
更に、図２に示されているようにプッシュプル壁８はその下端に一対の三角底１４を有する。これら三角底１４はＶ字形状をなすプッシュプル壁８の２辺にそれぞれ割り当てられ、箱ボディ２の内部に向けて箱ボディ２の底壁と平行に突出している。従って、プッシュプル壁８が箱ボディ２内に押し込まれたとき、一対の三角底１４は箱ボディ２の底壁に重ね合わされ、これに対し、プッシュプル壁８が箱ボディ２から引き出されたとき、一対の三角底１４はプッシュプル壁８とともに箱ボディ２から突出し、箱ボディ２における底壁の延長部を形成する。【００１６】
上述した第１実施例のシガレットボックスによれば、ユーザがフィン形状のノブ１０を指で摘み、箱ボディ２に対してプッシュプル壁８を引き出し又は押し込むことにより、箱ボディ２が開閉される。このような箱ボディ２の開閉形態はユニークであり、また、フィン形状のノブ１０を有するプッシュプル壁８はシガレットボックスに斬新な外観を提供する。この結果、本発明のシガレットボックスに対するユーザの購買意欲が高められる。【００１７】
図１及び図２のシガレットボックスは図３に示されるブランク１６を折り込むことにより成形される。なお、図３はブランク１６の裏面を示している。
ブランク１６は複数ずつのパネル及びフラップを含み、隣接するパネル同士やフラップ同士、また、隣接するパネル及びフラップは図３中に破線で示されている折込み線を介して互いに区画されている。【００１８】
具体的には、ブランク１６はその中央にリアパネル１８を含み、図３でみて、リアパネル１８の下側にボトムパネル２０及びフロントパネル２２が順次接続されている。一方、リアパネル１８の上側にはトップパネル２４及びインナフロントフラップ２６が順次接続されている。これらパネル１８，２０，２２，２４はブランク１６の長手軸線上に一列に配置され、箱ボディ２の背壁、底壁、前壁及び上壁４をそれぞれ形成するための部分である。それ故、上壁４を形成するためのトップパネル２４にはその一端縁にＶ字形状のノッチ６が形成されている。尚、インナフロントフラップ２６は箱ボディ２の前壁のための補強部材を形成する部分である。【００１９】
更に、リアパネル１８、ボトムパネル２０、フロントパネル２２及びトップパネル２４はノッチ６とは反対側に位置した一側縁に、インナサイドフラップ２８、インナボトムフラップ３０、アウタサイドフラップ３２及びトップエンドフラップ３４をそれぞれ有する。インナサイドフラップ２８及びアウタサイドフラップ３２は箱ボディ２の一方の側壁を形成するための部分であり、インナボトムフラップ３０は箱ボディ２の底壁に対する補強部材を形成するための部分である。そして、トップエンドフラップ３４は、箱ボディ２の前記一方の側壁に対する補強部材を形成するための部分である。【００２０】
更に、リアパネル１８及びフロントパネル２２はその他方の側縁にアウタサイドフラップ３６をそれぞれ有し、これらアウタサイドフラップ３６にはフィンフラップ３８がそれぞれ接続されている。図３でみて、上側のアウタサイドフラップ３６の下縁及び下側のアウタサイドフラップ３６の上縁には三角フラップ４０がそれぞれ接続され、これら三角フラップ４０は対応するフラップ３６から互い向けて突出する。上下のアウタサイドフラップ３６はプッシュプル壁８を形成するための部分であり、上下のフィンフラップ３８はノブ１０を形成するための部分である。そして、三角フラップ４０は三角底１４を形成するための部分である。【００２１】
図３中、破線の折込み線に付与された参照符号I〜IXは、ブランク１６の折込み手順を示す。ここで、ブランク１６の折込みに先立ち、前述したパネル及びフラップの所定の箇所には糊が塗布されており、この後、ブランク１６のリアパネル１８上には１点鎖線で示されるインナパックＩＰが置かれ、インナパックＩＰはリアパネル１８に接着される。ここで、図３から明らかなように、インナパックＩＰの一側面はリアパネル１８とインナサイドフラップ２８との間の折込み線に沿って位置付けられているが、インナパックＩＰの他方の側面はリアパネル１８とアウタサイドフラップ３６との間の折込み線から所定の距離だけ離れている。【００２２】
図３に示される状態から、ブランク１６がI〜VIIに示す順序にて、対応する折込み線に沿いインナパックＩＰの回りに折り込まれたとき、図４に示されるシガレットボックスの中間品が得られる。図４から明らかなように、中間品の状態にあるとき、リアパネル１８及びフロントパネル２２にそれぞれ接続されているアウタサイドフラップ３６はフィンフラップ３８及び三角フラップ４０を伴い、インナパックＩＰの側方にそれぞれ突出した状態にある。【００２３】
図４に示される状態から、上下の三角フラップ４０は互いに向けて折り込まれ（図３のVIII参照）、図５に示されるように三角フラップ４０は互いに接近する。この後、上下のフィンフラップ３８は、そのフィンフラップ３８とアウタサイドフラップ３６とを区画する折込み線に沿って谷折りされる（図３のIX参照）。即ち、上下のフィンフラップ３８は互いに接近する方向に折り込まれる。ここでのフィンフラップ３８の折込みはこれらフィンフラップ３８を互いに重ね合わせて接着し、前述したフィン形状のノブ１０を形成する。このようなノブ１０の形成と同時に、図６に示されるように上下のアウタサイドフラップ３６もまた折り込まれることで（図３のIX参照）、これらアウタサイドフラップ３６が前述したプッシュプル壁８を形成する。この後、ノブ１０及びプッシュプル壁８はインナパックＩＰに向けて押し込まれ、図７に示されるように閉状態のシガレットボックス（図１のシガレットボックスに対応する）が完成する。【００２４】
図８は第２実施例のシガレットボックスを示す。
図８のシガレットボックスは二重構造の箱ボディを備えており、この箱ボディはインナケース４２及びアウタケース４４を含む。インナケース４２は、その内部にインナパックＩＰを保持し、前述したフィン形状のノブ１０及びプッシュプル壁８を有する。更に、ノブ１０はその下端に一対の三角足１０ａを有し、これら三角足１０ａはインナケース４２の底壁４３上に重ね合わされている。これら三角足１０ａ及び底壁４３に関しては更に後述する。【００２５】
一方、アウタケース４４はその内部に、プッシュプル壁８及びノブ１０を除いてインナケース４２の残部を収容し、その上壁４６にＶ字形状のノッチ６を有する。
第２実施例のシガレットボックスもまた、第１実施例のシガレットボックスと同様な開閉形態及び外観を提供する。【００２６】
インナケース４２は図９に示されるブランク４８を折り込むことにより成形される。ブランク４８は複数ずつパネル及びフラップを含んでおり、隣接するパネル同士やフラップ同士、また、隣接するパネル及びフラップは、図９中に破線で示されている折込み線により互いに区画されている。なお、図７はブランク４８の裏面を示す。
より詳しくは、ブランク４８は第１及び第２セクション５０，５２に分けられ、第１セクション５０はプッシュプル壁８及びノブ１０を形成し、第２セクション５２はインナパックＩＰを保持するためのインナフレームを形成する。【００２７】
第１セクション５０はその中央に一対の中央パネル５４を有し、これら中央パネル５４は折込み線を介して互いに区画されている。図９でみて、上側の中央パネル５４の上縁には外側パネル５６が配置され、また、下側の中央パネル５４の下縁にも外側パネル５６が配置されている。中央パネル５４と外側パネル５６とを互いに区画する折込み線は二重の破線で示されている。一対の中央パネル５４は前述したフィン形状のノブ１０を形成するための部分であり、一対の外側パネル５６は前述したプッシュプル壁８を形成するための部分である。【００２８】
更に、各外側パネル５６は接続フラップ５８をそれぞれ有し、これら外側フラップ５８及び対応する側の接続フラップ５８は折込み線を介して互いに区画されている。従って、図９から明らかなように、第１セクション５０のパネル及びフラップは第１セクション５０の中央の折込み線を中心に対称に配置されている。【００２９】
第２セクション５２は中央にボトムパネル６０を有しており、このボトムパネル６０の上下には、リアパネル６２及びフロントパネル６４が接続されている。これらパネル６０，６２，６４はインナケース４２の前述した底壁４３、背壁及び前壁をそれぞれ形成するための部分である。【００３０】
図９から明らかなようにボトムパネル６０はリア及びフロントパネル６２，６４から第１セクション５０に向けて延出し、第１セクション５０の一対の中央パネル５４に接続されている。即ち、ボトムパネル６０の延出部分は、第１及び第２セクション５０，５２を互いに接続するネック部６０ｎとして形成されている。ここで、一対の中央パネル５４の幅Ｗ１（２重の破線間の距離）はネック部６０の幅Ｗ２に等しい。【００３１】
更に、第１セクション５０とは反対側に位置したリアパネル６２の側縁にはサイドパネル６６及びジョイントフラップ６８が順次接続されている。サイドパネル６６は、インナケース４２の側壁を形成するための部分であり、ジョイントフラップ６８はサイドパネル６６をフロントパネル６４に接続するための部分である。【００３２】
第１セクション５０及びネック部６０ｎを互いに区画する境界は折込み線７０により形成され、この折込み線７０はネック部６０ｎに向けて突出する扁平なＶ字形状をなしている。更に、ネック部６０ｎには折込み線７２が形成されており、この折込み線７２は折込み線７０の頂点に隣接した頂点を有し、折込み線７０とは逆向きのＶ字形状をなしている。従って、ネック部６０ｎは、折込み線７０，７２間により区画された２つの三角領域７４を有し、これら三角領域７４は前述した三角足１０ａ（図８参照）を形成するための部分である。【００３３】
ブランク４８の折込みに関し、図９中、一重の破線は山折りのための折込み線を示し、これに対し、二重の破線は谷折りための折込み線を示す。また、ブランク４８の折込みに先立ち、ブランク４８の裏面に所定箇所に糊が予め塗布されている。
ブランク４８の折込みは先ず、第２セクション５２のボトムパネル６０のネック部６０ｎ及び第１セクション５０にて開始される。即ち、ネック部６０ｎはＶ字形状の折込み線７２に沿って山折りされ、この山折りと同時に第１セクション５０はＶ字形状の折込み線７０に沿って谷折りされる。ここでの山折り及び谷折りは、第２セクション５２に対して第１セクション５０を起立させ、これにより、ネック部６０ｎの一対の三角領域７４がネック部６０ｎに重ね合わされ、前述した一対の三角足１０ａが形成される。
【００３４】
また、上述した第１セクション５０の起立と同時に、第１セクション５０は一対の中央パネル５４間の折込み線に沿って山折りされ、ここでの山折りは一対の中央パネル５４を互いに重ね合わせることになる。このようにして重ね合わされた中央パネル５４は互いに接着されて前述したノブ１０を形成し、図１０に示されるように、ノブ１０は三角足１０ａから上方に向けて延びる。このとき、接続フラップ５８をそれぞれ備えた一対の外側パネル５６はノブ１０の両側に位置付けられる。【００３５】
この後、図１１に示されるように、ボトムパネル６０上にインナパックＩＰが置かれ、ボトムパネル６０にインナパックＩＰの底面が重ね合わされる。そして、リアパネル６２、サイドパネル６６及びジョイントフラップ６８がインナパックＩＰの回りに順次折り込まれる。この後、フロントパネル６４がインナパックＩＰに向けて折り込まれ、フロントパネル６４はジョイントフラップ６８に重ね合われる。フロントパネル６４及びジョイントパネル６８は互いに接着される。この時点で、インナパックＩＰはその上面を除き、第１及び第２セクション５０，５２のパネル及びフラップにより囲まれた状態となる。【００３６】
この後、図１２に示されるように、第１セクション５０の一対の接続フラップ５８は、その接続フラップ５８と対応する外側フラップ５６との間の折込み線に沿いインナパックＩＰに向けて山折りされる。そして、接続フラップ５８の山折りと同時に、各外側フラップ５６はその外側フラップ５６と中央フラップ５４との間の折込み線に沿い谷折りされる。この結果、図１３に示されるように、一対の接続フラップ５８は既に折込み状態にあるリアパネル６２及びフロントパネル６４にそれぞれ重ね合わされ、一方、一対の外側フラップ５６は前述の谷折りにより、Ｖ字形状のプッシュプル壁８を形成し、この時点で、インナケース４２が完成する。【００３７】
ここで、一対の接続フラップ５８はリアパネル６２及びフロントパネル６４に接着されていないことに留意すべきである。それ故、一対の接続フラップ５８が固定されていると仮定したとき、プッシュプル壁８の押込み及び引出しは、一対の接続フラップ５８に沿ってインナケース４２をインナパックＩＰとともに往復動させる。【００３８】
図１４は、アウタケース４４を成形するためのブランク７６を示す。このブランク７６もまた、複数ずつのパネル及びフラップを含み、隣接するパネル同士やフラップ同士、また、隣接するパネル及びフラップは破線の折込み線により区画されている。
より詳しくは、ブランク７６はリアパネル７８を有し、このリアパネル７８の側方にサイドパネル８０及びフロントパネル８２が順次接続されている。リアパネル７８の上縁にはトップパネル８４が接続されている。トップパネル８４はサイドパネル８０とは反対側の一端にノッチ６を有し、その他縁にトップエンドフラップ８６を有する。更に、トップパネル８４の上縁にはジョイントフラップ８８が接続されている。【００３９】
一方、リアパネル７８の下縁にはボトムパネル９０が接続されており、このボトムパネル９０はボトムエンドフラップ９２及びジョイントフラップ９４を有する。
図１４のブランク７６は前述したインナケース４２の回りに折り込まれて、図８のシガレットボックスを成形する。なお、ブランク７６の折込みに先立ち、ブランク７６の裏面には所定箇所に糊が予め塗布されている。【００４０】
より詳しくは、図１４に示されるように、先ずリアパネル７８上に前述したインナケース４２が載置される。この際、インナケース４２はプッシュプル壁８がノッチ６側に位置付けられており、インナケース４２の一方の接続フラップ５８はリアパネル７８に重ね合わされ、リアパネル７８に接着される。【００４１】
この後、トップパネル８４がインナケース４２内に収容されたインナパックＩＰの上面に向けてIPの上面に向けて折り込まれ、この上面に重ね合わされる。また、トップパネル８４の折込みと同時に、ボトムパネル９０はインナケース４２の底壁（ボトムパネル６０）に向けて折り込まれ、この底壁に重ね合わされる。そして、トップエンドフラップ８６及びボトムエンドフラップ９２がインナケース４２の側壁（サイドパネル６６）に向けて折り込まれ、この側壁にそれぞれ重ね合わされる。更に、ジョイントフラップ８８，９４はインナケース４２の前壁（フロントパネル６４）に向けて折り込まれ、この前壁にそれぞれ重ね合わされる。【００４２】
この後、サイドパネル８０はインナケース４２の側壁に向けて折り込まれ、この側壁に重ね合わされる。それ故、前述のフラップ８６，９２はインナケース４２の側壁とサイドパネル８０との間に挟み込まれる。
更に、フロントパネル８２はインナケース４２の前壁に向けて折り込まれ、この前壁に重ね合わされる。それ故、前述のフラップ８８，９４はインナケース４２とフロントパネル８２との間に挟み込まれる。ここで、フラップ８８，９４はフロントパネル８２に接着され、そして、フロントパネル８２はインナケース４２の他方の接続フラップ５８に接着される。この時点で、アウタケース４４、即ち、図８のシガレットボックスが完成する。
【００４３】
インナフレーム４２は一対の接続フラップ５８のみにて、アウタケース４４に固定されているだけであるので、ユーザがノブ１０を指で摘み、プッシュプル壁８をアウタケース４４から引き出せば、図８に示されるようにプッシュプル壁８は外側に向けて凸のＶ字形となり、アウタケース４４のノッチ６と協働して菱形の開口１２を形成する。【００４４】
プッシュプル壁８が引き出されるとき、インナケース４２はインナパックＩＰを伴い、アウタケース４４に対して移動し、それ故、インナケース４２の底壁の一部、即ち、ボトムパネル６０のネック部６０ｎがアウタケース４４から突出する。【００４５】
これに対し、プッシュプル壁８がアウタケース４４内に押し込められたとき、アウタケース４４のノッチ６は閉じられ、インナケース４２はプッシュプル壁８及びノブ１０とともに、アウタケース４４内に完全に没入する。
前述したブランク４８の場合、折込み線７０，７２に沿う折込みを容易にするため、これら折込み線７２，７４は通常の圧痕線に因らず、穿孔列により形成されていてもよい。
【図５】
0004785073.tif 000002
【図６】
0004785073.tif 000003
【図７】
0004785073.tif 000004
【図１１】
0004785073.tif 000005
【図１２】
0004785073.tif 000006
【図１３】
0004785073.tif 000007
【図１】
0004785073.tif 000008
【図２】
0004785073.tif 000009
【図３】
0004785073.tif 000010
【図４】
0004785073.tif 000011
【図８】
0004785073.tif 000012
【図９】
0004785073.tif 000013
【図１０】
0004785073.tif 000014
【図１４】
0004785073.tif 000015